(57)【要約】【課題】タイルユニットの連結材を壁面に容易かつ高強度に留め付けることができるタイル張り壁面及びタイル張り工法を提供する。【解決手段】外壁１の外面にプライマーを塗布し、これが乾燥した後、隣り合う外装材４，４同士の継ぎ目に跨ってジョイントテープ５を貼り付ける。次に、タイル接着用の弾性接着剤６を塗着する。弾性接着剤層の上にタイルユニット１０を押し当てて接着する。その後、接着剤６が硬化する前に目地間隙を通してステープル７を打ち、タイルユニット１０の連結材１２を外壁１に留め付ける。【選択図】図１
2006144298.tif 000002
【特許請求の範囲】
【請求項１】
複数枚のタイルが裏面側の連結材によって連結されてなるタイルユニットを接着剤で壁面に接着したタイル張り壁面において、
該タイル同士の間の目地間隙を通してステープルを打つことにより前記連結材を壁面に留め付けたことを特徴とするタイル張り壁面。
【請求項２】
請求項１において、前記連結材はネットであり、ネットの目の間に前記接着剤が露呈しており、
前記ステープルと該接着剤とが同色であることを特徴とするタイル張り壁面。
【請求項３】
請求項１又は２において、前記ステープルは、前記接着剤の硬化前に打ち込まれたものであり、これにより、接着剤にめり込んでいることを特徴とするタイル張り壁面。
【請求項４】
複数枚のタイルが裏面側の連結材によって連結されてなるタイルユニットを接着剤で壁面に接着するタイル張り工法において、
タイルユニットの張り付け後、接着剤の硬化前に、該タイル同士の間の目地間隙を通してステープルを打つことにより前記連結材を壁面に留め付けることを特徴とするタイル張り工法。
【発明の詳細な説明】
【技術分野】
【０００１】
本発明は、複数枚のタイルが連結材によって連結されたタイルユニットを壁面に接着剤によって張り付けてなるタイル張り壁面と、タイル張り工法とに関する。特に、本発明は、各タイルの裏面が連結材に連結されているタイルユニットを用いたタイル張り壁面及びタイル張り工法に関する。
【背景技術】
【０００２】
タイルユニットを接着剤で張り付けてなるタイル張り壁面及びタイル張り工法において、タイルの張付強度及び耐久性を高めるために、タイルユニットの連結材をビス及びワイヤによって壁面に固定することがある（特開平６−２４８７８１号公報、特開平９−６０２５３号公報）。
【０００３】
これらの従来技術にあっては、ワイヤをタイルユニットのタイル同士の目地間隙に内部に連結材に押し付けるように配置し、このワイヤをビスで壁面に留め付けている。
【特許文献１】特開平６−２４８７８１号公報
【特許文献２】特開平９−６０２５３号公報
【発明の開示】
【発明が解決しようとする課題】
【０００４】
上記のようにワイヤをビスで留め付けることは、作業に手間がかかると共に、目地間隙がドライバ先端を挿入し得るようにある程度広くないと適用することができない。
【０００５】
本発明は、タイルユニットの連結材を壁面に容易かつ高強度に留め付けることができるタイル張り壁面及びタイル張り工法を提供することを目的とする。
【課題を解決するための手段】
【０００６】
請求項１のタイル張り壁面は、複数枚のタイルが裏面側の連結材によって連結されてなるタイルユニットを接着剤で壁面に接着したタイル張り壁面において、該タイル同士の間の目地間隙を通してステープルを打つことにより前記連結材を壁面に留め付けたことを特徴とするものである。
【０００７】
請求項２のタイル張り壁面は、請求項１において、前記連結材はネットであり、ネットの目の間に前記接着剤が露呈しており、前記ステープルと該接着剤とが同色であることを特徴とするものである。
【０００８】
請求項３のタイル張り壁面は、請求項１又は２において、前記ステープルは、前記接着剤の硬化前に打ち込まれたものであり、これにより、接着剤にめり込んでいることを特徴とするものである。
【０００９】
請求項４のタイル張り工法は、複数枚のタイルが裏面側の連結材によって連結されてなるタイルユニットを接着剤で壁面に接着するタイル張り工法において、タイルユニットの張り付け後、接着剤の硬化前に、該タイル同士の間の目地間隙を通してステープルを打つことにより前記連結材を壁面に留め付けることを特徴とするものである。
【発明の効果】
【００１０】
本発明のタイル張り壁面及びタイル張り工法にあっては、連結材をステープルによって壁面に留め付けるため、この留付作業がきわめて簡単で且つ迅速に行うことができる。また、目地間隙がそれ程大きくない場合であっても、ステープルを打つことができる。なお、このステープルは、接着剤が硬化するまでタイルユニットを壁面に保持する機能も有する。
【００１１】
連結材をネットとし、ネットの目の間から接着剤が露呈する場合、ステープルと接着剤とを同色とすることにより、ステープルが殆ど目立たないものとなる。
【００１２】
本発明では、接着剤の硬化前にステープルを打ち、ステープルを接着剤にめり込ませることにより、ステープルが目立たないものとなる。また、ステープルの打ち込み深さが深くなることにより、連結材の留付強度が高くなる。なお、このステープルは、接着剤が硬化するまでタイルユニットを保持する仮留め機能も有する。
【発明を実施するための最良の形態】
【００１３】
以下、図面を参照して実施の形態について説明する。図１は実施の形態に係るタイル張り壁面及びタイル張り工法を示す分解斜視図、図２はタイル張り壁面のステープル留め部分の断面図、図３はタイルユニット１０の裏面図である。
【００１４】
まず、このタイルユニット１０について図３を参照して説明する。
【００１５】
このタイルユニット１０は、複数枚のタイル１１を整列配置し、各タイル１１の裏面にネット１２を接着剤で接着し、各タイル１１を一体化させたものである。この実施の形態では、ネット１２はガラス繊維ロービング等よりなる経糸と、この経糸に６０°及び１２０°の斜交角度にて斜交する緯糸とを有する。このように経糸に対し２方向に延在する緯糸が交叉しているため、ネット１２は縦方向及び横方向にも伸びがきわめて小さいものとなっている。
【００１６】
この実施の形態では、既存外壁１の上にこのタイルユニット１０を接着剤で張り付けて外壁改修を行っている。
【００１７】
この実施の形態では、外壁１は、柱２、間柱３に取り付けられた複数枚の板状の外装材（この実施の形態では、セメント板などの窯業系サイディング）４にて構成されている。この外装材４はステープル打ち可能なものである。
【００１８】
まず、外壁１の外面にプライマーを塗布し、これが乾燥した後、隣り合う外装材４，４同士の継ぎ目に跨ってジョイントテープ５を貼り付ける。この実施の形態では、該ジョイントテープ５は、帯状の不織布の一方の面に粘着材料としてブチルゴムを付着ないし含浸させた片面粘着テープであり、厚み方向及び面方向の双方に弾力性（クッション性）を有している。なお、この実施の形態では、図１の通り、外装材４は左右方向に多列に且つ上下方向に多段に配設されており、ジョイントテープ５は、左右方向に隣接する外装材４，４同士の継ぎ目に沿ってのみ設けられているが、上下に隣接する外装材４，４同士の継ぎ目に沿っても設けられてもよい。
【００１９】
次に、タイル接着用の弾性接着剤６を塗着する。この弾性接着剤６としては、変性エポキシ系あるいは変性シリコン系接着剤等を用いることができる。
【００２０】
その後、この弾性接着剤層の上にタイルユニット１０を押し当てて接着する。その後、接着剤６が硬化する前に目地間隙を通してコ字形のステープル７を打ち、連結材１２を外壁１に留め付ける。このステープル７はタッカー（図示略）により複数本、所定間隔をおいて打つ。
【００２１】
このようにして、既存外壁が、タイル張りされた美麗なタイル壁に改修される。
【００２２】
このタイル壁にあっては、タイルユニット１０が接着剤６及びステープル７によって接着及び留付されているので、タイルユニット１０の張付強度及び信頼性がきわめて高いものとなる。このステープル７は、接着剤が硬化するまでタイルユニット１０を保持する効果も奏する。
【００２３】
この実施の形態では、接着剤６が硬化する前にステープル７を打つため、ステープル７が接着剤６に深くめり込んだ状態となり、ステープル７が目立たなくなる。
【００２４】
なお、接着剤６とステープル７とを同色とすることにより、ステープル７が一層目立ちにくいものとなる。市販の弾性接着剤６にはグレー色のものが多いので、この場合にはステープル７としてもグレー色のものを用いる。
【００２５】
このステープル７は、タッカーにより容易に打つことができる。また、タイルユニット１０の目地間隙が比較的小さい場合（例えば２〜５ｍｍ）であっても、十分にステープル７を打つことができる。
【００２６】
この実施の形態では、隣り合う外装材４，４の継ぎ目に跨ってクッション性を有するジョイントテープ５が設けられているので、温度変化等により各外装材４が膨張・収縮し、隣り合う外装材４，４同士がずれた場合でも、このずれによってタイル１１に加えられる応力が該ジョイントテープ５によって吸収される。
【００２７】
また、このジョイントテープ５の粘着力を利用してタイルユニット１０を仮留めしておくことができるので、ステープル打ち作業性が大幅に向上する。
【図面の簡単な説明】
【００２８】
【図１】実施の形態に係るタイル張り壁面及びタイル張り工法を示す分解斜視図である。
【図２】タイル張り壁面のステープル留め部分の断面図である。
【図３】タイルユニット１０の裏面図である。
【符号の説明】
【００２９】
４  外装材
５  ジョイントテープ
１０  タイルユニット
１１  タイル
１２  連結材（ネット）
【図１】
2006144298.tif 000003
【図２】
2006144298.tif 000004
【図３】
2006144298.tif 000005